(57)【要約】【課題】調理中に湯気や油分の蒸発等が発生する環境下においても視認しやすい映像を投影することができるレンジフードを提供する。【解決手段】本発明の一態様に係るレンジフードは、フード本体と、フード本体の内部に配置され、かつ映像光を発する光学モジュールと、フード本体の内部に配置され、かつ映像光を反射することにより映像光に基づく投影画像を壁面に投射する自由曲面ミラーと、光学モジュールと自由曲面ミラーとの相対的な位置関係を調整する調整機構とを備える。【選択図】図１
2019007697.tif 000002
【特許請求の範囲】
【請求項１】
フード本体と、
前記フード本体の内部に配置され、かつ映像光を発する光学モジュールと、
前記フード本体の内部に配置され、かつ前記映像光を反射することにより前記映像光に基づく投影画像を壁面に投射する自由曲面ミラーと、
前記光学モジュールと前記自由曲面ミラーとの相対的な位置関係を調整する調整機構とを備える、レンジフード。
【請求項２】
前記調整機構は、前記投影画像のスローレシオが１．０以下となるように、前記光学モジュールと前記自由曲面ミラーとの相対的な位置関係を調整する、請求項１に記載のレンジフード。
【請求項３】
前記調整機構は、前記投影画像の投影角度が２５°以上３５°以下となるように、前記光学モジュールと前記自由曲面ミラーとの相対的な位置関係を調整する、請求項１又は請求項２に記載のレンジフード。
【請求項４】
透明カバーをさらに備え、
前記フード本体には、前記自由曲面ミラーによって反射された前記映像光が通過する映像光出口が設けられ、
前記透明カバーは、前記映像光出口を覆うように配置される、請求項１〜請求項３のいずれか１項に記載のレンジフード。
【請求項５】
前記フード本体には、前記フード本体の内部に空気を導入する吸入口と、前記フード本体の内部から空気を吐出する吐出口とが設けられる、請求項１〜請求項４のいずれか１項に記載のレンジフード。
【請求項６】
前記調整機構をユーザが操作するための位置調整操作部をさらに備え、
前記フード本体は、加熱調理器に対向する側の面である下面と、前記下面の反対側の面である上面と、前記下面及び前記上面の双方に連なる前面とを有し、
前記位置調整操作部は、前記上面及び前記前面の少なくとも一方に配置される、請求項１〜請求項５のいずれか１項に記載のレンジフード。
【発明の詳細な説明】
【技術分野】
【０００１】
本発明は、レンジフードに関する。
【背景技術】
【０００２】
従来から、特開２００５−２３０４１９号公報（特許文献１）に記載のシステムキッチン及び特開２００６−１２５６７１号公報（特許文献２）に記載のレンジフードが知られている。
【０００３】
特許文献１に記載のシステムキッチンは、画像投影手段を有している。この画像投影手段は、システムキッチンのキッチンカウンター上に、操作パネル画像を表示する。特許文献１に記載のシステムキッチンにおいては、使用者がこの操作パネル画像を指で触れることにより、システムキッチンを構成する各種機器（レンジフード、ガスコンロ等）の操作が行われる。
【０００４】
特許文献２に記載のレンジフードは、表示手段を有している。この表示手段は、例えば有機ＥＬディスプレイである。この表示手段は、レンジフードの幕板に設けられている。この表示手段には、例えば静止画像又は動画像が表示される。
【先行技術文献】
【特許文献】
【０００５】
【特許文献１】特開２００５−２３０４１９号公報
【特許文献２】特開２００６−１２５６７１号公報
【発明の概要】
【発明が解決しようとする課題】
【０００６】
厨房においては、調理中に、湯気や油分の蒸発等が生じる。そのため、特許文献１に記載にシステムキッチン及び特許文献２に記載のレンジフードにおいては、表示された映像が、この湯気や油分の蒸発等の影響により不鮮明となるおそれがある。
【０００７】
本発明は、上記のような従来技術の問題点に鑑みてなされたものである。より具体的には、本発明は、調理中に湯気や油分の蒸発等が発生する環境下においても視認しやすい映像を投影することができるレンジフードを提供する。
【課題を解決するための手段】
【０００８】
本発明の一態様に係るレンジフードは、フード本体と、フード本体の内部に配置され、かつ映像光を発する光学モジュールと、フード本体の内部に配置され、かつ映像光を反射することにより映像光に基づく投影画像を壁面に投射する自由曲面ミラーと、光学モジュールと自由曲面ミラーとの相対的な位置関係を調整する調整機構とを備える。
【０００９】
本発明の一態様に係るレンジフードによると、調理中に湯気や油分の蒸発等が発生する環境下においても視認しやすい画像を投影することができる。
【００１０】
上記のレンジフードにおいて、調整機構は、投影画像のスローレシオが１．０以下となるように、光学モジュールと自由曲面ミラーとの相対的な位置関係を調整してもよい。この場合には、壁面との距離が短いキッチンにおいても、大きい映像を投射することができる。
【００１１】
上記のレンジフードにおいて、調整機構は、投影画像の投影角度が２５°以上３５°以下となるように、光学モジュールと自由曲面ミラーとの相対的な位置関係を調整してもよい。この場合には、映像光が整流板等により遮られることなく、歪みの少ない映像を投射することができる。
【００１２】
上記のレンジフードにおいて、フード本体には、フード本体の内部に空気を導入する吸入口と、フード本体の内部から空気を吐出する吐出口とが設けられていてもよい。この場合には、吸入口から導入される空気により、光学モジュールを冷却することができる。
【００１３】
上記のレンジフードは、透明カバーをさらに備えていてもよい。フード本体には、自由曲面ミラーによって反射された映像光が通過する映像光出口が設けられていてもよい。透明カバーは、映像光出口を覆うように配置されていてもよい。この場合には、調理中に発生する湯気や調理中に蒸発した油分等が光学モジュール、自由曲面ミラーに付着することを抑制することができる。
【００１４】
上記のレンジフードは、調整機構をユーザが操作するための位置調整操作部をさらに備えていてもよい。フード本体は、加熱調理器に対向する側の面である下面と、下面の反対側の面である上面と、下面及び上面の双方に連なる前面とを有していてもよい。位置調整操作部は、上面及び前面の少なくとも一方に配置されていてもよい。この場合には、投射映像が投射される壁面、投射映像のスローレシオ、投射映像の投射角度等をユーザが容易に調整することができる。
【発明の効果】
【００１５】
本発明の一態様に係るレンジフードによると、調理中に湯気や油分の蒸発等が発生する環境下においても視認しやすい画像を投影することができる。
【図面の簡単な説明】
【００１６】
【図１】実施の形態１に係るレンジフードの側面図である。
【図２】実施の形態１に係るレンジフードの正面図である。
【図３】図２のＩＩＩ−ＩＩＩにおける断面図である。
【図４】自由曲面ミラーの角度調整の態様を示す模式図である。
【図５】映像光の投射方向の切り替えの態様を示す模式図である。
【図６Ａ】調整機構の構成例を示す側面模式図である。
【図６Ｂ】調整機構の構成例を示す上面模式図である。
【図７Ａ】調整機構の別の構成例を示す側面模式図である。
【図７Ｂ】調整機構の別の構成例を示す上面模式図である。
【図８】実施の形態２に係るレンジフードの断面図である。
【図９】実施の形態２の変形例１に係るレンジフードの断面図である。
【図１０】実施の形態２の変形例１に係るレンジフードの断面図である。
【図１１】実施の形態２の変形例２に係るレンジフードの断面図である。
【図１２】実施の形態２の変形例３に係るレンジフードの断面図である。
【図１３】実施の形態２の変形例４に係るレンジフードの断面図である。
【発明を実施するための形態】
【００１７】
（実施の形態１）
以下に、実施の形態１に係るレンジフードの構成を、図を参照して説明する。
【００１８】
図１〜図３に示されるように、実施の形態１に係るレンジフードは、フード本体１を有している。フード本体１は、加熱調理器具２の上方に、所定の間隔を置いて配置されている。加熱調理器具２は、例えばガスコンロ、電磁誘導加熱調理器又はハロゲンヒータである。フード本体１は、例えばキッチンの前壁面３ａに吊金具等を用いて取り付けられている。
【００１９】
フード本体１は、下面１ａと、上面１ｂと、側面とを有している。下面１ａは、フード本体１の加熱調理器具２に対向する側の面である。上面１ｂは、フード本体１の下面１ａの反対側の面である。上面１ｂは、別の観点からいえば、フード本体１の天井３ｂに対向する側の面である。
【００２０】
下面１ａは、取り外し部１ａａを有していてもよい。取り外し部１ａａは、フード本体１から取り外し可能となっている。取り外し部１ａａは、後述する投射装置５の下方に位置している。取り外し部１ａａをフード本体１から取り外すことにより、フード本体１の内部に配置されている投射装置５を容易に取り外すことが可能となる。
【００２１】
側面は、下面１ａ及び上面１ｂに連なっている。すなわち、側面は、下面１ａ及び上面１ｂの双方に交差する面内において延在している。側面は、第１側面１ｃと、第２側面１ｄと、第３側面１ｅと、第４側面１ｆとにより構成される。第１側面１ｃは、前壁面３ａに取り付けられる側の面である。第２側面１ｄは、第１側面１ｃの反対側の面である。第１側面１ｃは、ユーザ側からみて、フード本体１の後面となる。第２側面１ｄは、ユーザ側からみて、フード本体１の前面となる。第３側面１ｅ及び第４側面１ｆは、第１側面１ｃ及び第２側面１ｄに連なる面である。フード本体１は、例えばカラー鋼板により形成されている。
【００２２】
レンジフードは、整流板４をさらに有していてもよい。整流板４は、下面１ａとの間に間隔を置いて配置されている。整流板４は、下面１ａとの間で、フード本体１を下面１ａから上面１ｂに向かう方向に貫通する換気口（図示せず）に接続される換気流路１１を画している。
【００２３】
レンジフードは、換気ファン６と、換気ダクト７とをさらに有している。換気ファン６は、例えば、シロッコファンである。換気ファン６は、換気ダクト７及び換気口に接続されている。換気ファン６は、加熱調理器具２上に配置されている鍋等から発生する油煙等を、換気流路１１及び換気口を介して吸引するとともに、換気ダクト７を介して外部に排出する。
【００２４】
フード本体１には、映像光出口１２が設けられている。映像光出口１２において、フード本体１の内部は、外部と連通している。映像光出口１２は、ガラス等の透明カバーで覆われている。映像光出口１２は、例えば下面１ａに設けられている。自由曲面ミラー５２において反射された映像光５４は、映像光出口１２を通過して、前壁面３ａ（又は側壁面３ｃ）に投射される。
【００２５】
レンジフードは、投射装置５をさらに有している。投射装置５は、光学モジュール５１と、自由曲面ミラー５２と、調整機構５３とを有している。光学モジュール５１は、例えば、レーザプロジェクタである。
【００２６】
但し、光学モジュール５１は、液晶プロジェクタ、ＤＬＰ（Digital  Light  Processing）（登録商標）プロジェクタ等であってもよい。光学モジュール５１は、フード本体１の内部に配置されている。光学モジュール５１は、有線又は無線により取得した映像情報に基づいて、映像光５４を投射する。
【００２７】
自由曲面ミラー５２は、反射面５２ａを有している。反射面５２ａは、自由曲面となっている。ここで、自由曲面とは、位置を変数とする３次以上の多項式により表現される曲面である。反射面５２ａは、例えば凸面である。反射面５２ａは、凹面であってもよい。光学モジュール５１からの映像光５４は、反射面５２ａにおいて反射される。自由曲面ミラー５２は、反射面５２ａが光学モジュール５１の映像光５４を発する側と対向するように配置されている。
【００２８】
反射面５２ａにおいて反射された映像光５４は、前壁面３ａに向かって拡大して投射される。すなわち、反射面５２ａにおいて反射された映像光５４に基づいて、前壁面３ａに投射映像５５が投射される。自由曲面ミラー５２は、軸５２ｂに取り付けられている。自由曲面ミラー５２は、これにより、図４中の実線矢印で示されるように、軸５２ｂ周りに回転可能となっている。
【００２９】
なお、自由曲面ミラー５２は、前壁面３ａと平行な方向に沿う軸の周り（図４中において、点線矢印により示されている）に回転可能となっていてもよい。これにより、図５に示されるように、映像光５４は、側壁面３ｃに向かって反射される。すなわち、投射映像５５は、自由曲面ミラー５２と光学モジュール５１との相対的な角度を調整することにより、側壁面３ｃに拡大して投射されてもよい。
【００３０】
調整機構５３は、光学モジュール５１と自由曲面ミラー５２との相対的な位置関係を調整する。より詳細には、図６Ａ、図６Ｂ、図７Ａ及び図７Ｂに示されるように、調整機構５３は、例えば、スライド機構５３ａと、ミラー角度調整機構５３ｂとを有している。スライド機構５３ａには、光学モジュール５１が取り付けられている。ミラー角度調整機構５３ｂには、自由曲面ミラー５２が取り付けられている。
【００３１】
スライド機構５３ａは、自由曲面ミラー５２と光学モジュール５１との相対的な距離を調整する。スライド機構５３ａには、例えば、ラックアンドピニオン式のＸＹステージ、サーボモータ式のＸＹステージが用いられる。
【００３２】
自由曲面ミラー５２と光学モジュール５１との相対的な距離が変化することにより、投射映像５５の大きさが変化する。スライド機構５３ａは、投射映像５５のスローレシオが１．０以下となるように、自由曲面ミラー５２と光学モジュール５１との相対的な距離を調整することが好ましい。ここで、スローレシオとは、自由曲面ミラー５２における映像光５４の反射位置と投射映像５５が投射される壁面（前壁面３ａ又は側壁面３ｃ）との水平方向における距離である水平距離Ｌ１（図１参照）を投射映像５５の幅Ｗ（図２参照）で除した値である。
【００３３】
ミラー角度調整機構５３ｂは、自由曲面ミラー５２と光学モジュール５１との相対的な角度を調整する。ミラー角度調整機構５３ｂには、例えばヒンジ構造、ネジ式構造、ユニバーサルジョイント（自在継手）構造が用いられる。
【００３４】
自由曲面ミラー５２と光学モジュール５１との相対的な角度が変化することにより、投射映像５５の投射角度が変化する。ミラー角度調整機構５３ｂは、投射映像５５の投射角度θが２５°以上３５°以下となるように、自由曲面ミラー５２と光学モジュール５１との相対的な角度を調整することが好ましい。ここで、投射映像５５の投射角度θとは、自由曲面ミラー５２で反射された映像光５４の中心位置を通る直線と前壁面３ａに垂直な直線（投射映像５５が側壁面３ｃに投射されている場合、側壁面３ｃに垂直な直線）とがなす角度をいう。
【００３５】
調整機構５３は、位置調整操作部をさらに有している。ユーザが位置調整操作部を操作することにより、調整機構５３は、光学モジュール５１と自由曲面ミラー５２との相対的な位置関係を調整する。位置調整操作部は、例えば第１スイッチ５３ｃと、第２スイッチ５３ｄとを有している。
【００３６】
第１スイッチ５３ｃ及び第２スイッチ５３ｄは、第２側面１ｄに配置されていることが好ましい。第１スイッチ５３ｃ及び第２スイッチ５３ｄは、上面１ｂに配置されていてもよい。すなわち、位置調整操作部は、上面１ｂ及び第２側面１ｄの少なくとも一方に配置されていればよい。
【００３７】
第１スイッチ５３ｃを操作することにより、スライド機構５３ａを介した光学モジュール５１の位置調整が行われる。第２スイッチ５３ｄを操作することにより、ミラー角度調整機構５３ｂを介した自由曲面ミラー５２の角度調整が行われる。
【００３８】
図６Ａ及び図６Ｂに示されるように、第１スイッチ５３ｃによるスライド機構５３ａを介した光学モジュール５１の位置調整及び第２スイッチ５３ｄによるミラー角度調整機構５３ｂを介した自由曲面ミラー５２の角度調整は、機械的に行われてもよい。この場合、第１スイッチ５３ｃ及び第２スイッチ５３ｄは、例えば摘み操作部であってもよい。第１スイッチ５３ｃ及び第２スイッチ５３ｄの回転がスライド機構５３ａ及びミラー角度調整機構５３ｂに機械的に伝達されることにより、位置調整及び角度調整が行われる。
【００３９】
第１スイッチ５３ｃによるスライド機構５３ａを介した光学モジュール５１の位置調整及び第２スイッチ５３ｄによるミラー角度調整機構５３ｂを介した自由曲面ミラー５２の角度調整は、電気的に行われてもよい。
【００４０】
この場合には、図７Ａ及び図７Ｂに示されるように、調整機構５３は、第１駆動機５３ｅと、第２駆動機５３ｆと、制御部５３ｇとをさらに有している。第１駆動機５３ｅ及び第２駆動機５３ｆは、例えばモータである。制御部５３ｇは、例えばマイコンである。
【００４１】
第１スイッチ５３ｃが操作されたことを示す信号は、制御部５３ｇに送られる。制御部５３ｇは、この信号に基づき、第１駆動機５３ｅを制御する。これにより、第１駆動機５３ｅは、スライド機構５３ａを介して光学モジュール５１の位置を調整する。
【００４２】
第２スイッチ５３ｄが操作されたことを示す信号は、制御部５３ｇに送られる。制御部５３ｇは、この信号に基づき、第２駆動機５３ｆを制御する。これにより、第２駆動機５３ｆは、ミラー角度調整機構５３ｂを介して自由曲面ミラー５２の角度を調整する。
【００４３】
投射装置５は、図１に示されるように、フード本体１の内部に配置されている。より具体的には、投射装置５は、換気流路１１よりも第２側面１ｄ側に配置されている。投射装置５は、フード本体１に取り付けられている。投射装置５は、フード本体１から取り外し可能であることが好ましい。
【００４４】
以下に、実施の形態１に係るレンジフードの効果を説明する。
上記のとおり、実施の形態１に係るレンジフードにおいては、フード本体１の内部に、光学モジュール５１と、自由曲面ミラー５２とが配置されている。また、上記のとおり、実施形態に係るレンジフードにおいては、調整機構５３が光学モジュール５１と自由曲面ミラー５２との相対的な位置を調整することにより、投射映像５５の投射角度θ、投射映像５５の大きさ及び投射映像５５が投射される壁面が適宜変更することができる。
【００４５】
すなわち、実施の形態１に係るレンジフードによると、調理中に発生する湯気や油分の蒸発等の影響を受けにくい場所を選んで投射映像５５を投射することが可能となる。したがって、実施の形態１に係るレンジフードによると、調理中に湯気や油分の蒸発等が発生する環境下においても視認しやすい映像を投影することができる。
【００４６】
投射角度θが２５°以上である場合、自由曲面ミラー５２において反射された映像光５４に対する整流板４等による干渉を抑制することができる。投射角度θが３５°以下である場合、投射映像５５の歪みは大きくはない。そのため、この場合には、映像光５４に対して適宜台形補正を行うことにより、投射映像５５の歪みを補正することができる。
【００４７】
レンジフードは、投射装置５と投射映像５５が投射される壁面との距離を十分に確保することができない場所に設置されることが多い。スローレシオが１．０以下である場合には、投射装置５と投射映像５５が投射される壁面との距離が短い場合であっても、壁面に相対的に大きな投射映像５５を投射することができる。
【００４８】
映像光出口１２が透明カバーにより覆われている場合、調理中に生じた湯気や油煙等がフード本体１の内部に侵入し難い。そのため、この場合には、調理中に生じた湯気や油煙等が光学モジュール５１、自由曲面ミラー５２等に付着することを抑制できる。
【００４９】
位置調整操作部（例えば第１スイッチ５３ｃ及び第２スイッチ５３ｄ）が上面１ｂ及び第２側面１ｄの少なくとも一方に配置されている場合、ユーザは、容易に光学モジュール５１と自由曲面ミラー５２との相対的な位置を調整することができる。すなわち、この場合には、ユーザは、投射映像５５のスローレシオ、投射角度θ、投射映像５５が投射される壁面を容易に調整することができる。
【００５０】
（実施の形態２）
以下に、実施の形態２に係るレンジフードの構成を、図を参照して説明する。なお、以下においては、実施の形態１に係るレンジフードの構成と異なる点を説明し、重複する説明は繰り返さない。
【００５１】
実施の形態２に係るレンジフードは、フード本体１と、整流板４と、投射装置５と、換気ファン６と、換気ダクト７とを有している。また、フード本体１は、下面１ａと、上面１ｂと、側面とを有している。フード本体１には、換気流路１１と、映像光出口１２とが設けられている。これらの点に関して、実施の形態２に係るレンジフードの構成は、実施の形態１に係るレンジフードの構成と共通している。
【００５２】
図８に示されるように、実施の形態２に係るレンジフードにおいては、フード本体１には、吸入口１３と、吐出口１４とが設けられている。この点に関して、実施の形態２に係るレンジフードの構成は、実施の形態１に係るレンジフードの構成と異なっている。
【００５３】
吸入口１３からは、フード本体１の内部に空気が導入される。吐出口１４からは、フード本体１の内部の空気が吐出される。この空気により、投射装置５（より具体的には、光学モジュール５１）が冷却される。この空気の導入及び吐出は、吸入口１３及び吐出口１４における空気の圧力差を利用して行ってもよい。この空気の導入及び吐出は、フード本体１の内部に配置されているファン１５を用いて行ってもよい。なお、ファン１５には、例えばシロッコファン、プロペラファンが用いられる。
【００５４】
吸入口１３は、上面１ｂに設けられていることが好ましい。吐出口１４は、下面１ａに設けられていることが好ましい。吸入口１３及び吐出口１４は、投射装置５（より具体的には、光学モジュール５１）を挟み込むように配置されていることが好ましい。
【００５５】
吐出口１４は、映像光出口１２よりも整流板４（換気流路１１）から離れた位置に配置されていることが好ましい。すなわち、吐出口１４と整流板４との間の水平距離Ｌ２は、映像光出口１２と整流板４との間の水平距離Ｌ３よりも大きいことが好ましい。
【００５６】
実施の形態２に係るレンジフードは、フィルタ８をさらに有していてもよい。フィルタ８は、吸入口１３を覆うようにフード本体１に取り付けられている。フィルタ８は、例えば、メッシュ状の部材である。フィルタ８は、埃や油等の通過を妨げる。但し、フィルタ８の構成はこれに限られない。例えば、吸入口１３にガラリ加工を施すことにより、フィルタ８としてもよい。
【００５７】
以下に、実施の形態２に係るレンジフードの効果を説明する。
実施の形態２に係るレンジフードにおいては、上記のとおり、フード本体１に、吸入口１３及び吐出口１４が設けられている。吸入口１３からはフード本体１の内部に空気が導入され、吐出口１４からはフード本体１の内部の空気が吐出される。この空気により、投射装置５が冷却される。そのため、実施の形態２に係るレンジフードによると、投射装置５の冷却を行うことができる。
【００５８】
上面１ｂは、下面１ａよりも加熱調理器具２から離れている。そのため、上面１ｂ側の空気は、下面１ａ側の空気よりも温度が低くなっている。そのため、吸入口１３が上面１ｂに設けられ、吐出口１４が下面１ａに設けられている場合には、相対的に温度の低い空気をフード本体１の内部に導入することができる。したがって、この場合には、吸入口１３から導入される空気により、投射装置５をさらに効率的に冷却することができる。
【００５９】
吸入口１３及び吐出口１４が投射装置５を挟み込むように配置されている場合、吸入口１３から導入され、かつ吐出口１４から吐出されるまでの空気の経路上に、投射装置５が位置していることになる。そのため、この場合には、吸入口１３から導入される空気により、投射装置５をさらに効率的に冷却することができる。
【００６０】
水平距離Ｌ２が水平距離Ｌ３よりも大きい場合、吐出口１４から吐出された空気が、映像光出口１２を覆う透明カバーの直下を通過して換気流路１１に向かう。これにより、調理中に発生した油煙等の映像光出口１２を覆う透明カバーとの接触が抑制される。すなわち、この場合には、透明カバーの油煙等による汚濁を抑制することができる。
【００６１】
＜変形例＞
以下に、実施の形態２の変形例に係るレンジフードを、図を参照して説明する。
【００６２】
図９に示されるように、実施の形態２に係るレンジフードにおいては、吸入口１３が複数の孔１３ａにより構成されていてもよい。孔１３ａの内径は、虫等が侵入できない範囲において、可能な限り大きいことが好ましい。より具体的には、孔１３ａの内径は、２ｍｍ以上５ｍｍ以下であることが好ましい。この場合、フード本体１の内部に、虫等が浸入することを抑制できる。
【００６３】
図１０に示されるように、実施の形態２に係るレンジフードにおいては、吸入口１３にガイド１３ｂが設けられていてもよい。ガイド１３ｂは、光学モジュール５１の発熱部５１ａに向かって延在している。このことを別の観点からいえば、ガイド１３ｂは、吸入口１３から導入される空気が光学モジュール５１の発熱部５１ａに向かうように配置されている。発熱部５１ａは、例えば光学モジュール５１の光源が配置されている部分である。この場合、吸入口１３から導入された空気が発熱部５１ａに集中的に供給されるため、投射装置５をより効率的に冷却することができる。
【００６４】
図１１に示されるように、実施の形態２に係るレンジフードにおいては、フード本体１の内部にトラップ機構１３ｃが設けられていてもよい。トラップ機構１３ｃは、吸入口１３に接続されている。トラップ機構１３ｃの内部には、流路１３ｃａが設けられている。
【００６５】
流路１３ｃａは、第１部分１３ｃｂと、第２部分１３ｃｃと、第３部分１３ｃｄとにより構成されている。第１部分１３ｃｂは、吸入口１３から下面１ａに向かって延在している。第２部分１３ｃｃは、下面１ａから上面１ｂに向かって延在している。第３部分１３ｃｄは、第１部分１３ｃｂと第２部分１３ｃｃとを接続している。
【００６６】
吸入口１３から導入された空気は、まず第１部分１３ｃｂを流れる。空気中に含まれている油や埃等は、空気よりも重い。そのため、吸入口１３から導入された空気中に含まれている油や埃等は、第２部分１３ｃｃに流れずに、第３部分１３ｃｄにたまる。他方で、第１部分１３ｃｂを流れる空気は、第３部分１３ｃｄを経由して、第２部分１３ｃｃに流れる。そのため、トラップ機構１３ｃが設けられている場合には、フード本体１の内部への油及び埃等の侵入を抑制することができる。
【００６７】
図１２に示されるように、実施の形態２に係るレンジフードは、冷却ダクト９をさらに有していてもよい。冷却ダクト９は、冷却ダクト９は、フード本体１の内部に配置されている。冷却ダクト９は、吸入口１３及び吐出口１４に接続されている。冷却ダクト９内には、投射装置５が配置されている。冷却ダクト９は、不燃性材料により形成されている。冷却ダクト９は、例えば金属材料により形成される。なお、不燃性であれば、樹脂材料等を用いることも可能である。
【００６８】
冷却ダクト９が設けられてない場合、吸入口１３から導入された空気がフード本体１内部で拡がる。そのため、吸入口１３から導入された空気の一部は、投射装置５の冷却にあまり寄与しない。
【００６９】
他方で、冷却ダクト９が設けられている場合、吸入口１３から導入された空気が流れる範囲は冷却ダクト９により画されるため、吸入口１３から導入された空気は、フード本体１内部で拡がらない。そのため、吸入口１３から導入された空気の殆どは、投射装置５の冷却に寄与する。したがって、この場合には、投射装置５の冷却をより効率的に行うことが可能となる。
【００７０】
図１３に示されるように、フード本体１は、突出部１６を有していてもよい。好ましくは、突出部１６は下面１ａ側に設けられている。突出部１６において、下面１ａは、上面１ｂから下面１ａに向かう方向に周囲から突出している。すなわち、突出部１６に位置する下面１ａは、突出部１６を取り囲んでいる下面１ａよりも上面１ｂから下面１ａに向かう方向に突出している。
【００７１】
突出部１６は、上面１ｂ側に設けられていてもよい。この場合、突出部１６において、上面１ｂは、下面１ａから上面１ｂに向かう方向に周囲から突出している。
【００７２】
突出部１６におけるフード本体１の内部には、投射装置５の一部が配置される。より具体的には、突出部１６が下面１ａ側に設けられている場合、光学モジュール５１は、映像光５４を投射する側が突出部１６の内部に位置することで、フード本体１の内部において傾斜して配置されている。
【００７３】
他方、突出部１６が上面１ｂ側に設けられている場合、光学モジュール５１は、映像光５４を投射する側の反対側が突出部１６の内部に位置することで、フード本体１の内部で傾斜して配置されている。
【００７４】
映像光５４が整流板４等により遮られてしまうことを防ぐためには、光学モジュール５１をフード本体１の内部で傾斜させて配置することが有効である。しかしながら、フード本体１に突出部１６が設けられていない場合、フード本体１の高さ（下面１ａと上面１ｂとの間の距離）を大きくしない限り、フード本体１内において光学モジュール５１を大きく傾斜して配置することは困難である。
【００７５】
他方で、フード本体１が突出部１６を有している場合、光学モジュール５１の一部（突出部１６が下面１ａ側に設けられている場合には、映像光５４を投射する側、突出部１６が上面１ｂ側に設けられている場合には、映像光５４を投射する側の反対側）が突出部１６の内部に位置することで、光学モジュール５１をフード本体１の内部で傾斜して配置することができる。そのため、この場合には、映像光５４が整流板４等により遮られてしまうことを抑制することができる。
【００７６】
なお、上記の実施の形態において、各図中同一又は相当部分には、同一符号を付している。また、以下に記載する実施の形態の少なくとも一部を任意に組み合わせてもよい。さらに、長さ、幅、厚さ、深さなどの寸法関係は、図面の明瞭化のために適宜変更されており、実際の寸法関係を表すものではない。
【００７７】
今回開示された実施の形態はすべての点で例示であって、制限的なものではないと考えられるべきである。本発明の範囲は上記した実施形態ではなく特許請求の範囲によって示され、特許請求の範囲と均等の意味、及び範囲内でのすべての変更が含まれることが意図される。
【符号の説明】
【００７８】
１  フード本体、１ａ  下面、１ａａ  取り外し部、１ｂ  上面、１ｃ  第１側面、１ｄ  第２側面、１ｅ  第３側面、１ｆ  第４側面、１１  換気流路、１２  映像光出口、１３  吸入口、１３ａ  孔、１３ｂ  ガイド、１３ｃ  トラップ機構、１３ｃａ  流路、１３ｃｂ  第１部分、１３ｃｃ  第２部分、１３ｃｄ  第３部分、１４  吐出口、１５  ファン、１６  突出部、２  加熱調理器具、３ａ  前壁面、３ｂ  天井、３ｃ  側壁面、４  整流板、５  投射装置、５１  光学モジュール、５１ａ  発熱部、５２  自由曲面ミラー、５２ａ  反射面、５２ｂ  軸、５３  調整機構、５３ａ  スライド機構、５３ｂ  ミラー角度調整機構、５３ｃ  第１スイッチ、５３ｄ  第２スイッチ、５３ｅ  第１駆動機、５３ｆ  第２駆動機、５３ｇ  制御部、５４  映像光、５５  投射映像、６  換気ファン、７  換気ダクト、８  フィルタ、９  冷却ダクト、Ｌ１，Ｌ２，Ｌ３  水平距離、Ｗ  幅。
【図１】
2019007697.tif 000003
【図２】
2019007697.tif 000004
【図３】
2019007697.tif 000005
【図４】
2019007697.tif 000006
【図５】
2019007697.tif 000007
【図６Ａ】
2019007697.tif 000008
【図６Ｂ】
2019007697.tif 000009
【図７Ａ】
2019007697.tif 000010
【図７Ｂ】
2019007697.tif 000011
【図８】
2019007697.tif 000012
【図９】
2019007697.tif 000013
【図１０】
2019007697.tif 000014
【図１１】
2019007697.tif 000015
【図１２】
2019007697.tif 000016
【図１３】
2019007697.tif 000017